(57)【要約】【課題】  物が載ったり人が乗ったりしても、通気口を開放させることができる、通気口装置を提供する。【解決手段】  通気口装置２は、通気口５ａを有する本体５と、弁体６と、蓋体７とを備える。弁体６は、通気口５ａを開閉するよう上下に移動可能であって、下方位置にて通気口５ａを閉じ、上昇することにより通気口５ａを開放する。蓋体７は、弁体６および本体５の上方を覆うようにして、本体５に載せられる。そこで、下方位置にある弁体６と、本体５に載せられた蓋体７との間に、弁体６が上昇可能となる上昇許容空間９を有する。そして、本体５とその本体５に載せられた蓋体７との間に、開放した通気口５ａと外部とを連通させる連通空間１０を有する。そして、蓋体７は、上昇許容空間９を越えて上昇する弁体６に押されて、上昇可能となっている。【選択図】  図１
2015143442.tif 000002
【特許請求の範囲】
【請求項１】
排水管路に繋がる立上り管の地表開口部に配備される通気口装置であって、
通気口を有する本体と、
前記通気口を開閉するよう上下に移動可能であって、下方位置にて前記通気口を閉じ、前記排水管路からの増加した圧力を受けて上昇することにより前記通気口を開放する弁体と、
前記弁体および前記本体の上方を覆うようにして、前記本体に載せられる蓋体とを、備え、
下方位置にある前記弁体と前記本体に載せられた前記蓋体との間に、前記弁体が上昇可能となる上昇許容空間を有し、かつ、
前記本体とその本体に載せられた前記蓋体との間に、開放した前記通気口と外部とを連通させる連通空間を有し、また、
前記蓋体は、上下に移動可能であって、上昇することにより、前記本体と前記蓋体との間に前記連通空間に付加された付加連通空間が形成される、通気口装置。
【請求項２】
前記本体の上面は、前記蓋体が載せられる載置面と、その載置面よりも下がった位置にあって前記蓋体との間に前記連通空間を形成する連通空間形成面とを備える、請求項１に記載の通気口装置。
【請求項３】
前記蓋体は、前記上昇許容空間を越えて上昇する前記弁体に押されて上昇する、請求項１または２に記載の通気口装置。
【請求項４】
前記弁体と前記本体との間には、前記通気口を取り囲むパッキンが介在し、そのパッキンを介して前記通気口が閉じられる、請求項１ないし３のいずれか１項に記載の通気口装置。
【請求項５】
前記パッキンは、前記弁体に設けられ、その弁体と一体となって上下に移動し、前記本体には、前記パッキンが当接する座面が設けられる、請求項４に記載の通気口装置。
【請求項６】
前記弁体は、弁体本体と、その弁体本体から下方に向けて延設された被案内軸部とを備え、
前記本体には、前記被案内軸部が挿通される案内孔が設けられて、前記被案内軸部が、前記案内孔に案内されることにより、前記弁体は、上下に移動するように案内される、請求項１ないし５のいずれか１項に記載の通気口装置。
【請求項７】
前記座面は、前記本体の上面から段状に下がって形成されて、前記パッキンは、前記弁体が下方位置にあるとき、前記座面から前記本体の上面までの高さ内にあり、
前記弁体の上面は、その上面の少なくとも外縁側が、その外縁に向かうにつれて低くなるように傾斜して形成される、請求項５に記載の通気口装置。
【請求項８】
前記通気口は、前記本体の中央部分に位置し、
前記本体の上面は、外縁から前記通気口側に向かうにつれて高くなるように傾斜して形成される、請求項１ないし７のいずれか１項に記載の通気口装置。
【請求項９】
前記蓋体は、その周方向に回動不能となるように前記本体に係合する、請求項１ないし８のいずれか１項に記載の通気口装置。
【請求項１０】
排水管路に繋がる立上り管の地表開口部に設けられる通気弁構造であって、
通気口を有する本体と、
前記通気口を開閉するよう上下に移動可能であって、下方位置にて前記通気口を閉じ、前記排水管路からの増加した圧力を受けて上昇することにより前記通気口を開放する弁体と、
前記弁体および前記本体の上方を覆うようにして、前記本体に載せられる蓋体とを、備え、
下方位置にある前記弁体と前記本体に載せられた前記蓋体との間に、前記弁体が上昇可能となる上昇許容空間を有し、かつ、
前記本体とその本体に載せられた前記蓋体との間に、開放した前記通気口と外部とを連通させる連通空間を有し、また、
前記本体は、前記通気口内に架設される架設部と、その架設部から立上がる案内軸部とを備え、
前記弁体は、下方に開口し上方が閉塞して下方から前記案内軸部が挿通される穴が設けられた被案内部を備えて、その被案内部が前記案内軸部に案内されることにより、前記弁体は、上下に移動するように案内される、通気弁構造。
【請求項１１】
前記弁体は、弁体本体と、その弁体本体から下方に向けて延設された前記被案内部としての筒部とを備えて、その筒部内が前記穴となり、
前記筒部は、前記弁体が下方位置にて、その筒部の下端が前記架設部の上面に当接しない長さとなっている、請求項１０に記載の通気弁構造。
【請求項１２】
排水管路に繋がる立上り管の地表開口部に設けられる通気弁構造であって、
通気口を有する本体と、
前記通気口を開閉するよう上下に移動可能であって、下方位置にて前記通気口を閉じ、前記排水管路からの増加した圧力を受けて上昇することにより前記通気口を開放する弁体と、
前記弁体および前記本体の上方を覆うようにして、前記本体に載せられる蓋体とを、備え、
下方位置にある前記弁体と前記本体に載せられた前記蓋体との間に、前記弁体が上昇可能となる上昇許容空間を有し、かつ、
前記本体とその本体に載せられた前記蓋体との間に、開放した前記通気口と外部とを連通させる連通空間を有し、また、
前記弁体は、弁体本体と、その弁体本体から下方に向けて延設された被案内軸部とを備え、
前記本体には、上下に貫通して前記被案内軸部が挿通される案内孔が設けられて、前記被案内軸部が、前記案内孔に案内されることにより、前記弁体は、上下に移動するように案内され、かつ、
前記被案内軸部の外周面が、その周方向において部分的に、前記案内孔の内周面から隔てて位置し、あるいは、前記案内孔の内周面が、その周方向において部分的に、前記被案内軸部の外周面から隔てて位置し、その隔てにより、それら被案内軸部の外周面と案内孔の内周面との間に、上下に貫通する逃がし空間が形成される、通気弁構造。
【発明の詳細な説明】
【技術分野】
【０００１】
この発明は、排水管路に繋がる立上り管の地表開口部に設けられる、通気口装置および通気弁構造に関するものである。
【背景技術】
【０００２】
従来、地中に埋設された排水管路に繋がる立上り管を閉鎖する蓋においては、図１５に示すように、何らかの原因で排水管路の圧力が増加した場合に備えて、その圧力を逃がす弁体２３が設けられていた（例えば、特許文献１参照）。すなわち、蓋２１は、通気口２２ａを有する本体２２と、その本体２２の上方を覆い通気口２２ａを開閉する弁体２３とから構成された。そこで、平常時には、弁体２３が下がって通気口２２ａを塞ぐことで、排水管路からの臭気が外に漏れるのを防ぎ（図１５（ａ）参照）、排水管路の圧力が増加した際には、その増加した圧力を受けて、弁体２３が上昇することで、通気口２２ａを開放し増加した圧力を逃がしていた（図１５（ｂ）参照）。
【０００３】
そして、この蓋２１にあっては、弁体２３が上下に作動するよう、本体２２は、通気口２２ａ内に上下方向を軸とする軸孔２２ｂを有し、弁体２３は、その軸孔２２ｂに挿入されてその軸方向に案内される作動軸２３ａを有していた。
【先行技術文献】
【特許文献】
【０００４】
【特許文献１】特許第５２７９６８８号公報
【発明の概要】
【発明が解決しようとする課題】
【０００５】
ところで、前記従来の蓋２１にあっては、弁体２３の上（つまり、蓋２１の上）に物が載ったり人が乗ったりすると、その重みのため、弁体２３は、上昇することができず、通気口２２ａを開放することができなかった。
【０００６】
また、大雨などで、ゴミや砂が混じった水が通気口２２ａを通って内部に流れ込むような場合には、そのゴミや砂が、軸穴２２ｂと作動軸２３ａとの間に入り込み、弁体２３の作動が損なわれる虞があった。
【０００７】
この発明は、上記した従来の欠点を解決するためになされたものであり、その目的とするところは、物が載ったり人が乗ったりしても、通気口を開放させることができる、通気口装置および通気弁構造を提供することにある。
【０００８】
また、他の目的は、外からゴミや砂が混じった水が浸入するような場合であっても、弁体の作動が損なわれるのを抑えることができる、通気弁構造を提供することにある。
【課題を解決するための手段】
【０００９】
この発明に係る通気口装置および通気弁構造は、前記目的を達成するために、次の構成からなる。すなわち、
請求項１に記載の発明に係る通気口装置は、排水管路に繋がる立上り管の地表開口部に配備される通気口装置であって、通気口を有する本体と、弁体と、蓋体とを、備える。ここで、前記弁体は、前記通気口を開閉するよう上下に移動可能であって、下方位置にて前記通気口を閉じ、前記排水管路からの増加した圧力を受けて上昇することにより前記通気口を開放する。蓋体は、前記弁体および前記本体の上方を覆うようにして、前記本体に載せられる。そこで、下方位置にある前記弁体と前記本体に載せられた前記蓋体との間に、前記弁体が上昇可能となる上昇許容空間を有する。そして、前記本体とその本体に載せられた前記蓋体との間に、開放した前記通気口と外部とを連通させる連通空間を有する。また、前記蓋体は、上下に移動可能であって、上昇することにより、前記本体と前記蓋体との間に前記連通空間に付加された付加連通空間が形成される。
【００１０】
この通気口装置によると、通気口を有する本体に対し、通気口を開閉する弁体が設けられ、さらに、蓋体が、弁体および本体の上方を覆って、本体に載せられる。そして、弁体が通気口を閉じた下方位置にあるとき、弁体と蓋体との間には、弁体が上昇可能となる上昇許容空間が確保されている。よって、蓋体が本体に載った状態のまま、弁体は、上昇して通気口を開放することができる。そして、本体とその本体に載せられた蓋体との間には、連通空間があり、この連通空間を通して、開放した通気口と外部とが連通する。したがって、排水管路、そして立上り管内の圧力が増加すると、蓋体が本体に載ったままの状態で、弁体が上昇して、通気口と外部とが連通し、増加した圧力を逃がすことができる。そして、蓋体が本体に載った状態で、弁体が作動することから、蓋体の上に物が載ったり人が乗ったりしても、通気口は、開放する。また、排水管路、そして立上り管内の圧力がさらに増加した場合には、蓋体の上に物が載ったり人が乗ったりしていない状態では、蓋体が、上昇する。そして、この蓋体の上昇により、前記本体と前記蓋体との間に前記連通空間に付加された付加連通空間が形成され、増加した圧力を的確に逃がすことができる。
【００１１】
また、請求項２に記載の発明に係る通気口装置は、請求項１に記載の通気口装置において、前記本体の上面は、前記蓋体が載せられる載置面と、その載置面よりも下がった位置にあって前記蓋体との間に前記連通空間を形成する連通空間形成面とを備える。
【００１２】
また、請求項３に記載の発明に係る通気口装置は、請求項１または２に記載の通気口装置において、前記蓋体は、前記上昇許容空間を越えて上昇する前記弁体に押されて上昇する。
【００１３】
また、請求項４に記載の発明に係る通気口装置は、請求項１ないし３のいずれか１項に記載の通気口装置において、前記弁体と前記本体との間には、前記通気口を取り囲むパッキンが介在し、そのパッキンを介して前記通気口が閉じられる。
【００１４】
また、請求項５に記載の発明に係る通気口装置は、請求項４に記載の通気口装置において、前記パッキンは、前記弁体に設けられ、その弁体と一体となって上下に移動する。そして、前記本体には、前記パッキンが当接する座面が設けられる。
【００１５】
また、請求項６に記載の発明に係る通気口装置は、請求項１ないし５のいずれか１項に記載の通気口装置において、前記弁体は、弁体本体と、その弁体本体から下方に向けて延設された被案内軸部とを備える。そして、前記本体には、前記被案内軸部が挿通される案内孔が設けられて、前記被案内軸部が、前記案内孔に案内されることにより、前記弁体は、上下に移動するように案内される。
【００１６】
また、請求項７に記載の発明に係る通気口装置は、請求項５に記載の通気口装置において、前記座面は、前記本体の上面から段状に下がって形成されて、前記パッキンは、前記弁体が下方位置にあるとき、前記座面から前記本体の上面までの高さ内にある。そして、前記弁体の上面は、その上面の少なくとも外縁側が、その外縁に向かうにつれて低くなるように傾斜して形成される。弁体の上面をこのように形成することで、弁体の上に水が溜まりにくくなり、その水によって弁体の上昇が妨げられるようなことがない。
【００１７】
また、請求項８に記載の発明に係る通気口装置は、請求項１ないし７のいずれか１項に記載の通気口装置において、前記通気口は、前記本体の中央部分に位置し、前記本体の上面は、外縁から前記通気口側に向かうにつれて高くなるように傾斜して形成される。このように、本体の上面を傾斜して形成することで、外の雨水が、本体と蓋体との間から内部に浸入しにくくすることができる。
【００１８】
また、請求項９に記載の発明に係る通気口装置は、請求項１ないし８のいずれか１項に記載の通気口装置において、前記蓋体は、その周方向に回動不能となるように前記本体に係合する。このように、蓋体をその周方向に回動不能とすることで、蓋体の上に人が乗るような場合であっても、人が蓋体で足を取られることがない。
【００１９】
また、請求項１０に記載の発明に係る通気弁構造は、排水管路に繋がる立上り管の地表開口部に設けられる通気弁構造であって、通気口を有する本体と、弁体と、蓋体とを、備える。ここで、前記弁体は、前記通気口を開閉するよう上下に移動可能であって、下方位置にて前記通気口を閉じ、前記排水管路からの増加した圧力を受けて上昇することにより前記通気口を開放する。蓋体は、前記弁体および前記本体の上方を覆うようにして、前記本体に載せられる。そこで、下方位置にある前記弁体と前記本体に載せられた前記蓋体との間に、前記弁体が上昇可能となる上昇許容空間を有する。そして、前記本体とその本体に載せられた前記蓋体との間に、開放した前記通気口と外部とを連通させる連通空間を有する。また、前記本体は、前記通気口内に架設される架設部と、その架設部から立上がる案内軸部とを備える。一方、前記弁体は、下方に開口し上方が閉塞して下方から前記案内軸部が挿通される穴が設けられた被案内部を備えて、その被案内部が前記案内軸部に案内されることにより、前記弁体は、上下に移動するように案内される。
【００２０】
この通気弁構造によると、通気口を有する本体に対し、通気口を開閉する弁体が設けられ、さらに、蓋体が、弁体および本体の上方を覆って、本体に載せられる。そして、弁体が通気口を閉じた下方位置にあるとき、弁体と蓋体との間には、弁体が上昇可能となる上昇許容空間が確保されている。よって、蓋体が本体に載った状態のまま、弁体は、上昇して通気口を開放することができる。そして、本体とその本体に載せられた蓋体との間には、連通空間があり、この連通空間を通して、開放した通気口と外部とが連通する。したがって、排水管路、そして立上り管内の圧力が増加すると、蓋体が本体に載ったままの状態で、弁体が上昇して、通気口と外部とが連通し、増加した圧力を逃がすことができる。そして、蓋体が本体に載った状態で、弁体が作動することから、蓋体の上に物が載ったり人が乗ったりしても、通気口は、開放する。また、本体は、通気口内の架設部から立上がる案内軸部を備え、弁体は、上方が閉塞して下方の開口から案内軸部が挿通される穴が設けられた被案内部を備えて、これら案内軸部と被案内部の穴とにより、弁体は、上下に移動するように案内される。そこで、外からゴミや砂が混じった水が浸入した場合に、被案内部の穴は、上方が閉塞し下方の開口から案内軸部が挿通されていることから、その下方の開口からゴミや砂が混じった水が入りにくく、穴がゴミや砂で詰まるのを避けることができる。
【００２１】
また、請求項１１に記載の発明に係る通気弁構造は、請求項１０に記載の通気弁構造において、前記弁体は、弁体本体と、その弁体本体から下方に向けて延設された前記被案内部としての筒部とを備えて、その筒部内が前記穴となる。そして、前記筒部は、前記弁体が下方位置にて、その筒部の下端が前記架設部の上面に当接しない長さとなっている。
【００２２】
また、請求項１２に記載の発明に係る通気弁構造は、排水管路に繋がる立上り管の地表開口部に設けられる通気弁構造であって、通気口を有する本体と、弁体と、蓋体とを、備える。ここで、前記弁体は、前記通気口を開閉するよう上下に移動可能であって、下方位置にて前記通気口を閉じ、前記排水管路からの増加した圧力を受けて上昇することにより前記通気口を開放する。蓋体は、前記弁体および前記本体の上方を覆うようにして、前記本体に載せられる。そこで、下方位置にある前記弁体と前記本体に載せられた前記蓋体との間に、前記弁体が上昇可能となる上昇許容空間を有する。そして、前記本体とその本体に載せられた前記蓋体との間に、開放した前記通気口と外部とを連通させる連通空間を有する。また、前記弁体は、弁体本体と、その弁体本体から下方に向けて延設された被案内軸部とを備える。一方、前記本体には、上下に貫通して前記被案内軸部が挿通される案内孔が設けられて、前記被案内軸部が、前記案内孔に案内されることにより、前記弁体は、上下に移動するように案内される。そして、前記被案内軸部の外周面が、その周方向において部分的に、前記案内孔の内周面から隔てて位置し、あるいは、前記案内孔の内周面が、その周方向において部分的に、前記被案内軸部の外周面から隔てて位置し、その隔てにより、それら被案内軸部の外周面と案内孔の内周面との間に、上下に貫通する逃がし空間が形成される。
【００２３】
この通気弁構造によると、通気口を有する本体に対し、通気口を開閉する弁体が設けられ、さらに、蓋体が、弁体および本体の上方を覆って、本体に載せられる。そして、弁体が通気口を閉じた下方位置にあるとき、弁体と蓋体との間には、弁体が上昇可能となる上昇許容空間が確保されている。よって、蓋体が本体に載った状態のまま、弁体は、上昇して通気口を開放することができる。そして、本体とその本体に載せられた蓋体との間には、連通空間があり、この連通空間を通して、開放した通気口と外部とが連通する。したがって、排水管路、そして立上り管内の圧力が増加すると、蓋体が本体に載ったままの状態で、弁体が上昇して、通気口と外部とが連通し、増加した圧力を逃がすことができる。そして、蓋体が本体に載った状態で、弁体が作動することから、蓋体の上に物が載ったり人が乗ったりしても、通気口は、開放する。また、弁体は、弁体本体から下方に向けて延設された被案内軸部を備え、本体には、上下に貫通して被案内軸部が挿通される案内孔が設けられて、これら被案内軸部と案内孔とにより、弁体は、上下に移動するように案内される。そして、被案内軸部の外周面と案内孔の内周面との間に、周方向において部分的に、上下に貫通する逃がし空間が形成されている。そこで、外からゴミや砂が混じった水が浸入して、案内孔内にゴミや砂が混じった水が入っても、その水は、案内孔内の上下に貫通する逃がし空間を通って流れ出るため、案内孔がゴミや砂で詰まるのを避けることができる。
【発明の効果】
【００２４】
この発明に係る通気口装置および通気弁構造によれば、次の効果がある。
【００２５】
請求項１ないし９に記載された通気口装置によれば、下方位置にある弁体と本体に載せられた蓋体との間に、弁体が上昇可能となる上昇許容空間を設けることで、蓋体が本体に載った状態で、弁体を作動させることかでき、蓋体の上に物が載ったり人が乗ったりしても、通気口を開放させることができる。
【００２６】
また、請求項１０および１１に記載された通気弁構造によれば、下方位置にある弁体と本体に載せられた蓋体との間に、弁体が上昇可能となる上昇許容空間を設けることで、蓋体が本体に載った状態で、弁体を作動させることかでき、蓋体の上に物が載ったり人が乗ったりしても、通気口を開放させることができる。さらに、外からゴミや砂が混じった水が浸入するような場合であっても、上方が閉塞し下方の開口から案内軸部が挿入された穴が、ゴミや砂で詰まるのを避けることができるため、弁体の作動が損なわれるのを抑えることができる。
【００２７】
また、請求項１２に記載された通気弁構造によれば、下方位置にある弁体と本体に載せられた蓋体との間に、弁体が上昇可能となる上昇許容空間を設けることで、蓋体が本体に載った状態で、弁体を作動させることかでき、蓋体の上に物が載ったり人が乗ったりしても、通気口を開放させることができる。さらに、外からゴミや砂が混じった水が浸入するような場合であっても、被案内軸部との間に上下に貫通する逃がし空間が形成された案内孔が、ゴミや砂で詰まるのを避けることができるため、弁体の作動が損なわれるのを抑えることができる。
【図面の簡単な説明】
【００２８】
【図１】この発明の一実施の形態の、蓋体と弁体の両方が下方位置にあるときの断面図である。
【図２】同じく、蓋体が下方位置にあって、弁体のみが上昇したときの断面図である。
【図３】同じく、弁体とともに蓋体が上昇したときの断面図である。
【図４】同じく、図１におけるＡ−Ａ線による拡大断面図である。
【図５】同じく、受け枠に本体を組み付けた状態の斜視図である。
【図６】同じく、さらに弁体を組み付けた状態の斜視図である。
【図７】同じく、弁体の斜視図である。
【図８】同じく、蓋体の斜視図である。
【図９】この発明の他の実施の形態の、蓋体と弁体の両方が下方位置にあるときの断面図である。
【図１０】同じく、蓋体が下方位置にあって、弁体のみが上昇したときの断面図である。
【図１１】同じく、弁体とともに蓋体が上昇したときの断面図である。
【図１２】同じく、受け枠に本体を組み付けた状態の斜視図である。
【図１３】同じく、弁体の斜視図である。
【図１４】同じく、蓋体の斜視図である。
【図１５】従来の蓋を示す斜視図である。
【発明を実施するための形態】
【００２９】
以下、この発明に係る通気口装置および通気弁構造を実施するための形態を図面に基づいて説明する。
【００３０】
図１〜図８は、本発明の一実施の形態を示す。図中符号１は、地中に埋設される排水管路（図示せず）に繋がる立上り管を示し、この立上り管１は、例えば、家屋の排水設備と下水本管とを繋ぐ排水管路に対し、その排水管路に繋がる排水枡等からなる。２は、前記立上り管１の地表開口部に配備される通気口装置を示す。３は、前記立上り管１の地表開口部に設けられる通気弁構造を示す。
【００３１】
通気口装置２は、通気口５ａを有する本体５と、弁体６と、蓋体７とを備える。そして、通気弁構造３にあっても、通気口５ａを有する本体５と、弁体６と、蓋体７とを備える。
【００３２】
ここで、本体５は、立上り管１の上端に固定される受け枠４に取り付けられる。もっとも、受け枠４が設けられることなく、本体５が立上り管１に直接取り付けられてもよい。弁体６は、本体５の通気口５ａを開閉するよう上下に移動可能であって、下方位置にて通気口５ａを閉じ（図１参照）、排水管路からの増加した圧力（つまり、立上り管１内の増加した圧力）を受けて上昇することにより通気口５ａを開放する（図２参照）。詳細には、弁体６は、弁体本体６ａと、その弁体本体６ａから下方に向けて延設された被案内軸部６ｂとを備える。一方、本体５には、上下に貫通して被案内軸部６ｂが挿通される案内孔５ｂが設けられて、被案内軸部６ｂが、案内孔５ｂに案内されることにより、弁体６は、上下に移動するように案内される。
【００３３】
また、弁体６と本体５との間には、通気口５ａを取り囲むパッキン（弁用パッキン８）が介在し、そのパッキンを介して通気口５ａが閉じられる。詳細には、弁用パッキン８は、弁体６に設けられ、その弁体６と一体となって上下に移動する。そして、本体５には、弁用パッキン８が当接する座面５ｃが設けられる。
【００３４】
蓋体７は、弁体６および本体５の上方を覆うようにして、本体５に載せられる。そこで、下方位置にある弁体６と、本体５に載せられた蓋体７との間に、弁体６が上昇可能となる上昇許容空間９を有する（図１参照）。そして、本体５とその本体５に載せられた蓋体７との間に、開放した前記通気口５ａと外部とを連通させる連通空間１０を有する。
【００３５】
また、蓋体７は、上下に移動可能であって、上昇することにより、本体５と蓋体７との間に前記連通空間１０に付加された付加連通空間１１が形成される（図３参照）。図示実施の形態においては、蓋体７は、本体５に載せられた下方位置から、前記上昇許容空間９を越えて上昇する弁体６に押されて上昇する。
【００３６】
具体的には、受け枠４は、例えば環状に形成されて、例えば円筒形状の立上り管１の上端に、接着等により固定される。この受け枠４は、立上り管１に嵌められる第１枠部４ａと、その第１枠部４ａよりも径大となって上方に延びる第２枠部４ｂとを備える。そして、受け枠４は、第１枠部４ａから第２枠部４ｂに移る内側の段部が、本体５が載せられる受け面４ｃとなっている（図１参照）。
【００３７】
本体５は、受け枠４内を、通気口５ａを残して塞ぐものであり、受け枠４に挿入されて、受け面４ｃに載せられる（図１参照）。ここにおいて、通気口５ａは、本体５の中央に位置し、本体５を上下に貫通する。そして、本体５の上面５ｄは、外縁から通気口５ａ側に向かうにつれて高くなるように傾斜して形成される。また、本体５の上面５ｄは、蓋体７が載せられる載置面５ｅと、その載置面５ｅよりも下がった位置にあって、蓋体７との間に前述の連通空間１０を形成する連通空間形成面５ｆとを備える。詳細には、これら載置面５ｅと連通空間形成面５ｆとは、本体５の周方向に交互に並んで形成され、図示実施の形態においては、３組形成されている。そして、蓋体７が上昇すると、連通空間１０の上方、そして、載置面５ｅの上方に、前述の付加連通空間１１が現れる（図３参照）。
【００３８】
この本体５における座面５ｃは、通気口５ａの周縁に設けられる。そして、この座面５ｃは、本体５の上面５ｄ（載置面５ｅおよび連通空間形成面５ｆ）から段状に下がって形成されて、弁用パッキン８は、弁体６が下方位置にあるとき、座面５ｃから本体５の上面５ｄまでの高さ内にある。つまり、弁用パッキン８は、本体５の上面５ｄからの座面５ｃの深さ内にある。そして、座面５ｃが、本体５の上面５ｄよりも下がることで、弁体６は、本体５の上面５ｄよりも下に位置し、蓋体７との間に、前述の上昇許容空間９が形成される（図１参照）。
【００３９】
そして、本体５は、通気口５ａ内に架設される架設部５ｇを備える。詳細には、この架設部５ｇは、中央に位置して前述の案内孔５ｂがあけられた基部５ｈと、その基部５ｈから放射状に延びて通気口５ａの内周面に渡される架設片５ｉ（図示実施の形態においては、４本の架設片５ｉ、５ｉ）とからなる（図５参照）。
【００４０】
また、本体５には、係止片５ｊが設けられる。詳細には、この係止片５ｊは、本体５の外周面の上端部分から側方に突出して形成され、図示実施の形態においては、載置面５ｅの位置に対応して、周方向に三つ設けられている。そして、係止片５ｊは、本体の外周面の窪んだ凹部５ｋの上部に形成されて、その凹部５ｋが、受け枠４との間に隙間１２を形成する。
【００４１】
また、本体５は、受け枠４の第１枠部４ａと対向するように下方に延びる延出部５ｍを備える（図１参照）。そして、その延出部５ｍと第１枠部４ａとの間に封止用パッキン１３が設けられる。
【００４２】
弁体６は、図７に示すように、前述の弁体本体６ａが、円盤状に形成される。そして、前述の被案内軸部６ｂが、弁体本体６ａの中央から下方に向けて延設される。また、弁体６（詳しくは、弁体本体６ａ）の上面は、その上面の少なくとも外縁側が、その外縁に向かうにつれて低くなるように傾斜して形成された傾斜面６ｃとなっている（図１参照）。すなわち、弁体６の上面は、外縁から中心に向けて高くなっている。図示実施の形態においては、弁体６の上面は、その中央部分６ｄが平坦に形成され、外縁側が、前記傾斜面６ｃとなっている。
【００４３】
そして、弁体６の被案内軸部６ｂにあっては、その外周面が、その周方向において部分的に、案内孔５ｂの内周面から隔てて位置し、あるいは、案内孔５ｂの内周面が、その周方向において部分的に、被案内軸部６ｂの外周面から隔てて位置し、（図示実施の形態においては、被案内軸部６ｂの外周面が、その周方向において部分的に、案内孔５ｂの内周面から隔てて位置し、）その隔てにより、それら被案内軸部６ｂの外周面と案内孔５ｂの内周面との間に、上下に貫通する逃がし空間１４が形成されている（図１〜図４参照）。詳細には、案内孔５ｂが、断面円形であるのに対し、被案内軸部６ｂが、断面十字形となることで、案内孔５ｂの内周面との間に、前記逃がし空間１４が形成される。
【００４４】
また、弁体本体６ａは、相対的に径大となる上側分割体６０１と、相対的に径小となる下側分割体６０２が重ねられて形成され、被案内軸部６ｂは、下側分割体６０２から下方に向けて延設される。そして、弁用パッキン８は、円形平板状に形成されて、上側分割体６０１と下側分割体６０２とに挟み込まれて保持される。
【００４５】
蓋体７は、図１および図８に示すように、板状（図示実施の形態においては、円板状）の蓋体本体７ａと、その蓋体本体７ａの周縁から下方に向けて突出する脚部７ｂとを備え、蓋体本体７ａが、弁体６および本体５の上方を覆うようにして本体５に載せられる。そして、脚部７ｂには、その下端に被係止片７ｃが設けられる（図示実施の形態においては、内側に突出するようにして設けられる）。そこで、脚部７ｂを、本体５と受け枠４との間の隙間１２（つまり、本体５の凹部５ｋ）に挿入するようにして、弁体６を本体５に載せる。これにより、蓋体７の脚部７ｂが、本体５の凹部５ｋに係合し、蓋体７は、その周方向に回動不能となる。つまり、蓋体７は、その周方向に回動不能となるように本体５に係合する。さらに、蓋体７の脚部７ｂが、本体５の凹部５ｋ、つまり隙間１２に係合することで、蓋体７は、上下に移動するように案内される。そして、脚部７ｂに設けられた被係止片７ｃが、本体５の係止片５ｊと対向し、蓋体７が上昇したとき、被係止片７ｃが係止片５ｊに当接して、それ以上の上昇が止められる（図３参照）。なお、図１において符号７ｄは、脚部７ｂから側方に延出された延出片を示し、この延出片７ｄは、蓋体７が下方位置にあるとき、受け枠４に載せられる。
【００４６】
次に、以上の構成からなる通気口装置２および通気弁構造３の作用効果について説明する。この通気口装置２および通気弁構造３によると、通気口５ａを有する本体５に対し、通気口５ａを開閉する弁体６が設けられ、さらに、蓋体７が、弁体６および本体５の上方を覆って、本体５に載せられる。そして、弁体６が通気口５ａを閉じた下方位置にあるとき、弁体６と蓋体７との間には、弁体６が上昇可能となる上昇許容空間９が確保されている（図１参照）。よって、蓋体７が本体５に載った状態のまま、弁体６は、上昇して通気口５ａを開放することができる（図２参照）。そして、本体５とその本体５に載せられた蓋体７との間には、連通空間１０があり、この連通空間１０を通して、開放した通気口５ａと外部とが連通する。
【００４７】
したがって、排水管路、そして立上り管１内の圧力が、何らかの原因で増加すると、蓋体７が本体５に載ったままの状態で、弁体６が上昇して、通気口５ａと外部とが連通し、増加した圧力を逃がすことができ、これによって、排水管路の逆流を防いだり、排水管路の流れが二重トラップ等が原因で滞るようなことを防いだり、あるいは、本体５や蓋体７が、立上り管１から飛び出すのを防いだりすることができる。そして、蓋体７が本体５に載った状態で、弁体６が作動することから、蓋体７の上に物が載ったり人が乗ったりしても、通気口５ａは、開放する。すなわち、下方位置にある弁体６と、本体５に載せられた蓋体７との間に、弁体６が上昇可能となる上昇許容空間９を設けることで、蓋体７が本体５に載った状態で、弁体６を作動させることかでき、これにより、蓋体７の上に物が載ったり人が乗ったりしても、通気口５ａを開放させることができ、また、蓋体７が上昇しないことから、見栄えもよい。
【００４８】
また、排水管路、そして立上り管１内の圧力がさらに増加した場合には、蓋体７の上に物が載ったり人が乗ったりしていない状態では、蓋体７が、上昇する（図示実施の形態においては、上昇許容空間９を越えて上昇する弁体６に押されて上昇する（図３参照）。）。そして、この蓋体７の上昇により、本体５と蓋体７との間に連通空間１０に付加された付加連通空間１１が形成され、増加した圧力を的確に逃がすことができる。すなわち、排水管路の圧力の増加が小さい間は、弁体６のみの上昇で対応させることができ、例えば、集中豪雨等で排水管路の圧力が異常に高くなった場合には、弁体６の上昇の他に、蓋体７が上昇することで、その圧力を的確に逃がすことができる。
【００４９】
また、弁体６は、上面の少なくとも外縁側が、その外縁に向かうにつれて低くなるように傾斜して形成されており、これにより、弁体６の上に水が溜まりにくくなり、その水によって弁体６の上昇が妨げられるようなことがない。
【００５０】
また、弁体６は、弁体本体６ａから下方に向けて延設された被案内軸部６ｂを備え、本体５には、上下に貫通して被案内軸部６ｂが挿通される案内孔５ｂが設けられて、これら被案内軸部６ｂと案内孔５ｂとにより、弁体６は、上下に移動するように案内される。そして、被案内軸部６ｂの外周面と案内孔５ｂの内周面との間に、周方向において部分的に、上下に貫通する逃がし空間１４が形成されている（図１〜図４参照）。そこで、外からゴミや砂が混じった水が浸入して、案内孔５ｂ内にゴミや砂が混じった水が入っても、その水は、案内孔５ｂ内の上下に貫通する逃がし空間１４を通って流れ出るため、案内孔５ｂがゴミや砂で詰まるのを避けることができる。すなわち、外からゴミや砂が混じった水が浸入するような場合であっても、被案内軸部６ｂとの間に上下に貫通する逃がし空間１４が形成された案内孔５ｂが、ゴミや砂で詰まるのを避けることができるため、弁体６の作動が損なわれるのを抑えることができる。
【００５１】
また、本体５の上面５ｄを、外縁から通気口５ａ側に向かうにつれて高くなるように傾斜して形成することで、外の雨水が、本体５と蓋体７との間から内部に浸入しにくくすることができる。
【００５２】
また、蓋体７は、上下に移動するものの、周方向に回動不能となるように本体５に係合する。このように、蓋体７をその周方向に回動不能とすることで、蓋体７の上に人が乗るような場合であっても、人が蓋体７で足を取られることがない。
【００５３】
なお、本発明は、上述した実施の形態に限定されるわけではなく、その他種々の変更が可能である。例えば、立上り管１が繋がる排水管路は、家屋の排水設備と下水本管とを繋ぐものでなくとも、下水本管そのもの等、その他の排水管賂であってもよい。
【００５４】
また、本体５の案内孔５ｂと弁体６の被案内軸部６ｂとの関係において、案内孔５ｂが、断面円形であるのに対し、被案内軸部６ｂが、断面十字形となっているが、この被案内軸部６ｂは、断面三角形とか断面四角形等であってもよい。また、これにより、被案内軸部６ｂの外周面が、その周方向において部分的に、案内孔５ｂの内周面から隔てて位置するが、反対に、案内孔５ｂの内周面が、その周方向において部分的に、被案内軸部６ｂの外周面から隔てて位置し、それら被案内軸部６ｂの外周面と案内孔５ｂの内周面との間に、上下に貫通する逃がし空間が形成されてもよい。
【００５５】
また、本体５に案内孔５ｂが設けられ、弁体６に被案内軸部６ｂが設けられているが、図９〜図１４に示すように、これら案内孔５ｂと被案内軸部６ｂとの関係が逆であってもよい。すなわち、本体５は、通気口５ａ内に架設される架設部５ｇ（図示実施の形態においては、中央に位置する基部５ｈと、その基部５ｈから放射状に延びて通気口５ａの内周面に渡される架設片５ｉ、５ｉとからなる。）と、その架設部５ｇ（詳しくは、基部５ｈ）から立ち上がる案内軸部５ｘとを備え、弁体６は、下方に開口し上方が閉塞して下方から前記案内軸部５ｘが挿通される穴６ｙが設けられた被案内部６ｘを備えて、これら案内軸部５ｘと被案内部６ｘの穴６ｙとにより（つまり、その被案内部６ｘが案内軸部５ｘに案内されることにより）、弁体６が、上下に移動するように案内されてもよい。これにより、外からゴミや砂が混じった水が浸入した場合に、被案内部６ｘの穴６ｙは、上方が閉塞し下方の開口から案内軸部５ｘが挿通されていることから、その下方の開口からゴミや砂が混じった水が入りにくく、穴６ｙがゴミや砂で詰まるのを避けることができる。すなわち、外からゴミや砂が混じった水が浸入するような場合であっても、上方が閉塞し下方の開口から案内軸部５ｘが挿入された穴６ｙが、ゴミや砂で詰まるのを避けることができるため、弁体６の作動が損なわれるのを抑えることができる。
【００５６】
そして、この図９〜図１４に示す実施の形態においては、弁体６は、弁体本体６ａと、その弁体本体６ａから下方に向けて延設された被案内部６ｘとしての筒部６ｚとを備え、その筒部６ｚ内が前記穴６ｙとなっている。そして、筒部６ｚは、弁体６が下方位置にて、その筒部６ｚの下端が架設部５ｇ（詳しくは、基部５ｈ）の上面に当接しない長さとなっている。こうして、筒部６ｚが架設部５ｇ（詳しくは、基部５ｈ）の上面から離れることで、筒部６ｚにおける穴６ｙの下方の開口から、ゴミや砂が混じった水が入ったとしても、その水が排出し易く、穴６ｙがゴミや砂で詰まるのを一層避けることができる。なお、この実施の形態においては、蓋体７の脚部７ｂにおける被係止片７ｃは、脚部７ｂに設けられた開口７ｘの下側の周縁部分からなる（図１４参照）。
【００５７】
また、蓋体７は、上昇許容空間９を越えて上昇する弁体６に押されて上昇するが、通気口５ａから流出する空気、水等の流出物に押されて上昇するものであってもよい。
【００５８】
また、連通空間１０を形成するにあたって、本体５の上面５ｄが、載置面５ｅと、その載置面５ｅよりも下がった位置にある（つまり、載置面５ｅから窪む）連通空間形成面５ｆとを備えるが、反対に、蓋体７の下面が、本体５に載る被載置面と、その被載置面よりも上がった位置にあって（つまり、被載置面から窪み）、本体５との間に連通空間を形成する連通空間形成面とを備えてもよく、さらには、本体５の上面５ｄが、載置面５ｅと、その載置面５ｅよりも下がった位置にある連通空間形成面５ｆとを備えるともに、蓋体７の下面が、本体５に載る被載置面と、その被載置面よりも上がった位置にある連通空間形成面とを備えてもよい。
【００５９】
また、弁体６は、その全体が上下に移動可能となっていなくとも、弁体６の全体を軟質材料で構成し、その弁体６の、例えば中央部分を本体５に固着することで、その固着した部分以外の部分である一部が、撓み変形することにより上下に移動し、その上下の移動により、本体５の座面５ｃとの間が開閉、つまり通気口５ａが開閉するようにしてもよい。そして、この場合には、蓋体７は、通気口５ａから流出する空気、水等の流出物に押されて上昇することとなる。
【符号の説明】
【００６０】
１  立上り管
２  通気口装置
３  通気弁構造
５  本体
５ａ  通気口
５ｂ  案内孔
５ｃ  座面
５ｄ  上面
５ｅ  載置面
５ｆ  連通空間形成面
５ｇ  架設部
５ｘ  案内軸部
６  弁体
６ａ  弁体本体
６ｂ  被案内軸部
６ｘ  被案内部
６ｙ  穴
６ｚ  筒部
７  蓋体
８  弁用パッキン（パッキン）
９  上昇許容空間
１０  連通空間
１１  付加連通空間
１４  逃がし空間
【図１】
2015143442.tif 000003
【図２】
2015143442.tif 000004
【図３】
2015143442.tif 000005
【図４】
2015143442.tif 000006
【図５】
2015143442.tif 000007
【図６】
2015143442.tif 000008
【図７】
2015143442.tif 000009
【図８】
2015143442.tif 000010
【図９】
2015143442.tif 000011
【図１０】
2015143442.tif 000012
【図１１】
2015143442.tif 000013
【図１２】
2015143442.tif 000014
【図１３】
2015143442.tif 000015
【図１４】
2015143442.tif 000016
【図１５】
2015143442.tif 000017